(57)【要約】【課題】  荷扱い時や施工時等に指先を引っ掛けることができて持ち易く、製造時には補強パネルを位置決めし易くて簡単に取り付けることができる床パンを提供する。【解決手段】  床パン本体１の裏面側に下端が略同一平面上に位置する格子状の補強リブ２を形成し、同補強リブ２の下端に補強パネル３を略全面に亘って取り付けてなる床パンにおいて、床パン本体１の裏面側に補強パネル３の外周縁３ａに沿って位置する支持リブ４をこの補強パネル３よりも裏方へ高く突設し、この支持リブ４で同補強パネル３の外周縁３ａが当止されるようになした。【選択図】図１
2006348629.tif 000002
【特許請求の範囲】
【請求項１】
床パン本体の裏面側に下端が略同一平面上に位置する格子状の補強リブを形成し、同補強リブの下端に補強パネルを略全面に亘って取り付けてなる床パンであって、床パン本体の裏面側に補強パネルの外周縁に沿って位置する支持リブをこの補強パネルよりも裏方へ高く突設し、この支持リブで同補強パネルの外周縁が当止されるようになした床パン。
【請求項２】
補強リブの下端に補強パネルがネジ止めによって取り付けられるものであり、同ネジの頭部よりも裏方へ高く支持リブを突設したことを特徴とする請求項１記載の床パン。
【請求項３】
床パン本体の裏面側に補強パネルの外周縁に沿って略全周に亘る支持リブを突設したことを特徴とする請求項１又は２記載の床パン。
【請求項４】
補強パネルの周囲の相対向する位置で支持リブの下端縁に切欠状凹所を形成し、両切欠状凹所に床パン設置施工用の吊架台の両端部分が係合されるようになしたことを特徴とする請求項３記載の床パン。
【発明の詳細な説明】
【技術分野】
【０００１】
本願発明は、床パン本体の裏面側に格子状の補強リブを形成し、この補強リブの下端に補強パネルを略全面に亘って取り付けてなり、例えば、浴室や洗面所等の水廻り部位における防水床パンとして設置される床パンに関するものである。
【背景技術】
【０００２】
従来から、図８に示す如く、床パン本体１の裏面側に下端が略同一平面上に位置する格子状の補強リブ２を形成し、同補強リブ２の下端に補強パネル３を略全面に亘って取り付けてなる床パンは知られている（特許文献１：特開２００３−２７８２０７号公報）。この床パンは浴室の洗い場として設置施工される防水床パンであり、補強リブ２の下端に補強パネル３がネジ５によって取り付けられている。
【０００３】
この場合、床パン本体１はＦＲＰ、人造大理石等の樹脂成形品であり、その裏面側に一体に形成される格子状の補強リブ２によって補強されている。更に、補強パネル３が金属板でなり、前記樹脂成形品でなる床パン本体１はより強固に補強されている。そして、格子状の補強リブ２で区画された複数の空間は補強パネル３により密閉され、対流が少なくなって断熱性を保つことができるとされている。又、補強パネル３の裏面側にはアャスターボルトでなる脚部１４が設けられており、床パン本体１は同脚部１４を介して基礎床面１５上に設置支持されている。
【特許文献１】特開２００３−２７８２０７号公報
【発明の開示】
【発明が解決しようとする課題】
【０００４】
しかしながら、上記従来例である床パンにあっては、床パン本体１の裏面側で格子状の補強リブ２が補強パネル３により略全面に亘って覆い隠されてしまうため、荷扱い時や施工時等に指先を引っ掛け難くて持ちづらいものであった。しかも、製造時に補強パネル３を補強リブ２の下端に取り付ける際、同補強パネル３を位置決めし難くて組立作業に手間取るものであった。
【０００５】
本願発明は、上記背景技術に鑑みて発明されたものであり、その課題は、荷扱い時や施工時等に指先を引っ掛けることができて持ち易く、製造時には補強パネルを位置決めし易くて簡単に取り付けることができる床パンを提供することである。
【課題を解決するための手段】
【０００６】
上記課題を解決するために、本願発明の床パンは、床パン本体の裏面側に下端が略同一平面上に位置する格子状の補強リブを形成し、同補強リブの下端に補強パネルを略全面に亘って取り付けてなる床パンであって、床パン本体の裏面側に補強パネルの外周縁に沿って位置する支持リブをこの補強パネルよりも裏方へ高く突設し、この支持リブで同補強パネルの外周縁が当止されるようになしたものである。
【発明の効果】
【０００７】
本願発明の床パンにおいては、床パン本体の裏面側に格子状の補強リブが形成され、同補強リブの下端には補強パネルが略全面に亘って取り付けられるため、剛性が高められて強固に補強され、格子状の補強リブで区画された複数の空間が補強パネルにより閉塞されて対流が少なくなり、断熱性も向上される。
【０００８】
しかも、床パン本体の裏面側に補強パネルの外周縁に沿って位置する支持リブがこの補強パネルよりも裏方へ高く突設されているため、荷扱い時や施工時等に同支持リブの突出した下端縁に指先を引っ掛けることができて持ち易く安全である。又、支持リブで補強パネルの外周縁が当止されるようになっているため、製造時に補強パネルを、その外周縁を同支持リブに当止させて簡単に位置決めすることができ、同補強パネルを取り付けて組み立てる作業は容易化される。
【発明を実施するための最良の形態】
【０００９】
図１〜４は、本願請求項１〜３に対応した一実施形態である床パンを示している。この実施形態の床パンは、床パン本体１の裏面側に下端が略同一平面上に位置する格子状の補強リブ２を形成し、同補強リブ２の下端に補強パネル３を略全面に亘って取り付けてなるものである。そしてこの場合に、床パン本体１の裏面側に補強パネル３の外周縁３ａに沿って位置する支持リブ４をこの補強パネル３よりも裏方へ高く突設し、この支持リブ４で同補強パネル３の外周縁３ａが当止されるようになしている。
【００１０】
更に、この実施形態の床パンでは、補強リブ２の下端に補強パネル３がネジ５止めによって取り付けられるものであり、同ネジ５の頭部５ａよりも裏方へ高く支持リブ４を突設している。又、この実施形態の床パンでは、床パン本体１の裏面側に補強パネル３の外周縁に沿って略全周に亘る支持リブ４を突設してもいる。
【００１１】
以下、この実施形態の床パンを、より具体的詳細に説明する。この実施形態の床パンは防水床パンであり、浴室の洗い場として設置施工されるものである。床パン本体１はＦＲＰ、人造大理石等の樹脂成形品であり、その裏面側には略全面に亘って下方へ一体に突出した板状の補強リブ２が複数本となって設けられている。補強リブ２は互いに直交して数十ｃｍ単位で囲まれた格子状となり、床パン本体１を補強しているものである。又、補強リブ２の下端は略同一水平面上にあって、補強リブ２が交わる部位及び端部には、図１に示す如く、筒状部２ａが一体に形成されている。なお、補強リブ２の高さは３０〜６０ｍｍ程度であり、前記各筒状部２ａには中空孔８が形成されることになる。
【００１２】
補強パネル３は金属板であり、補強リブ２の下端に略全面に亘って貼着されている。この場合、補強パネル３には貫通孔９が穿設されており、補強パネル３の下方よりネジ５を同貫通孔９に挿通し、更に、前記補強リブ２の中空孔８に螺入することによって、同補強パネル３は補強リブ２の下端に取り付け固定されている。なお、金属板でなる補強パネル３の厚さは、重量、強度、及びコストとの関連で適宜設定されるものであるが、通常は２〜３ｍｍ程度に設定される。又、補強パネル３は金属板の他、ＦＲＰ板、金属と樹脂との複合材料板等であってもよい。
【００１３】
このように、補強パネル３を補強リブ２の下端に貼着することにより、補強リブ２で仕切られた複数の空間は各別に密閉され、対流が少なくなって断熱性能が向上される。この断熱性能は、厚さ２ｍｍの金属板である補強パネル３を貼着した場合、発泡ウレタン樹脂を１０ｍｍ吹き付けた場合と略同等の熱貫流率となる。又、補強リブ２の下端に金属板である補強パネル３を略全面に亘って貼着することにより、剛性が高められて別途に補強桟材等を付設しなくても床パンとしての強度を確保することができる。
【００１４】
床パン本体１の端縁には周壁部１ａが一体に垂設されており、この周壁部１ａの下端部分が支持リブ４として垂下延設されている。この場合、支持リブ４は前記補強パネル３の裏面よりも下方へ突出し、図１（ｂ）に示す如く、前記ネジ５の頭部５ａよりも下方へ大きく突出している。すなわち、支持リブ４の垂下突出寸法（補強パネル３の裏面から支持リブ４の下端縁までの寸法）をＴ、ネジ５の頭部５ａの高さ寸法をｔとすると、Ｔ＞ｔの関係となる。
【００１５】
なお、補強リブ２の下端から支持リブ４の下端縁が突出する寸法は、約１０ｍｍに設定されている（厚さ２ｍｍの補強パネル３である場合、前記Ｔは約８ｍｍとなる）。又、補強パネル３が支持リブ４で包囲されて、この支持リブ４は補強パネル３の外周縁３ａに沿いその略全周に亘って位置することになる。そして、補強パネル３の外周縁３ａは、略全周に亘り支持リブ４に当止されて位置決めされるようにもなる。ここでは、支持リブ４で包囲される範囲内に補強パネル３を嵌め入れ易くするため、同支持リブ４の内側面と補強パネル３の外周縁３ａとの間に若干の隙間が設けられている。
【００１６】
又、図２〜４に示す如く、床パン本体１は全体として略長方形状で、その表面に目地凹溝１０が格子模様状に形成されている。床パン本体１の三辺縁（二短辺縁と一長辺縁）には上面が平坦なフランジ部１１が形成され、残る一辺縁（一長辺縁）は若干外側に突出するように湾曲しており、この一辺縁にエプロン壁部１２が立設されている。床パン本体１のエプロン壁部１２近傍の辺中程位置には排水口１３が設けられており、この排水口１３へ向かって下方傾斜の水勾配が同床パン本体１の表面に施されている。
【００１７】
なお、前記床パン本体１のフランジ部１１には壁体（図示せず）が立設され、エプロン壁部１２には浴槽（図示せず）が隣接設置され、その他、ドア部材、天井部材等（図示せず）が設置されユニットバスルームとして組立施工される。又、床パン本体１は、上記従来例と同様に、補強パネル３の裏面側にアャスターボルトでなる脚部１４が設けられ、この脚部１４を介して基礎床面１５上に設置支持される（図８参照）。この場合、前記補強パネル３の貫通孔９及び補強リブ２の中空孔８を用いることで、アャスターボルトでなる脚部１４を簡単且つ確実に取り付け固定することができる。
【００１８】
したがって、この実施形態の床パンにおいては、床パン本体１の裏面側に格子状の補強リブ２が略全面に亘って形成されており、同補強リブ２の下端には補強パネル３が略全面に亘って取り付けられているため、剛性が高められて撓み変形しないよう全体が強固に補強され、格子状の補強リブ２で区画された複数の空間が補強パネル３により密閉されて対流が少なくなり、洗い場床での断熱性も向上される。
【００１９】
しかも、床パン本体１の裏面側に補強パネル３の外周縁３ａに沿って位置する支持リブ４がこの補強パネル３よりも裏方へ高く突設されているため、荷扱い時や施工時等に同支持リブ４の突出した下端縁に指先を引っ掛けることができて持ち易く、指先からの滑り落ちが防止されて安全である。又、支持リブ４で補強パネル３の外周縁３ａが当止されるようになっているため、製造時に補強パネル３を、その外周縁３ａを同支持リブ４に当止させて簡単に位置決めすることができ、同補強パネル３を取り付けて組み立てる作業は容易化される。
【００２０】
更に、この実施形態の床パンにおいては、支持リブ４が補強パネル３の裏面に突出するネジ５の頭部５ａよりも裏方へ高く突設されているため、荷扱い時や施工時等に同ネジ５の頭部５ａが設置面に接触し難くなって、この設置面の傷付き及びネジ５付近の破損が防止される。又、支持リブ４が補強パネル３の外周縁３ａの略全周に亘るため、設置面に仮置きした場合等に安定して保持され、前記設置面の傷付き及びネジ５付近の破損はより確実に防止される。
【００２１】
図５〜７は、本願請求項１〜４の全てに対応した別の実施形態である床パンを示している。この実施形態の床パンでは、補強パネル３の周囲の相対向する位置で支持リブ４の下端縁に切欠状凹所６を形成し、両切欠状凹所６に床パン設置施工用の吊架台７の両端部分が係合されるようになしている。この場合、吊架台７が二本用いられるものでり、これに対応して切欠状凹所６は二対配設形成されている。ここでは、両吊架台７が床パン本体１の長手方向に沿って配設されるもので、各切欠状凹所６は同床パン本体１の相対向する両短辺に位置する支持リブ４の下端縁に配設形成されている。
【００２２】
又、吊架台７は金属製であり、中空角型材でなる架台本体部７ａの両端に、略Ｌ字状に折曲した支持片部７ｂを突設して形成されている。そして、吊架台７は床パン本体１の下側に配置され、その架台本体部７ａの両端付近上に切欠状凹所６が係合されて、同架台本体部７ａの中程上には補強パネル３が安定して強固に載置支持される。吊架台７の両端の支持片部７ｂにはワイヤー等の索材が引っ掛けられ、両吊架台７上に載置支持されて床パンは運搬移動され、浴室の洗い場となる位置に対応する基礎床面１５上に設置される。
【００２３】
したがって、この実施形態の床パンにおいては、支持リブ４の下端縁に形成された相対向して位置する切欠状凹所６に、床パン設置施工用の吊架台７の両端部分を係合させることができ、これにより、荷扱い時や施工時等に床パンを吊架台７上にずれ動きなく安定して強固に載置支持させることができ、地震の際にも安全で位置決めもし易くなって施工性に優れたものとなる。なお、それ以外は、上記実施形態と同様に構成されており、上記実施形態におけると同様の作用効果が奏される。
【図面の簡単な説明】
【００２４】
【図１】本願発明の一実施形態である床パンの要部を示しており、（ａ）はその底面図、（ｂ）は（ａ）でのＡ−Ａ断面図、（ｃ）は（ａ）でのＢ−Ｂ断面図。
【図２】同床パンの全体を示す平面図。
【図３】図２でのＣ−Ｃ断面図。
【図４】図２でのＤ−Ｄ断面図。
【図５】別の実施形態である床パンの全体を示す平面図。
【図６】図５でのＥ−Ｅ断面図。
【図７】図５でのＦ−Ｆ断面図。
【図８】従来例である床パンの要部を示す縦断面図。
【符号の説明】
【００２５】
１  床パン本体
２  補強リブ
３  補強パネル
３ａ  外周縁
４  支持リブ
５  ネジ
５ａ  頭部
６  切欠状凹所
７  吊架台
【図１】
2006348629.tif 000003
【図２】
2006348629.tif 000004
【図３】
2006348629.tif 000005
【図４】
2006348629.tif 000006
【図５】
2006348629.tif 000007
【図６】
2006348629.tif 000008
【図７】
2006348629.tif 000009
【図８】
2006348629.tif 000010